(57)【要約】【課題】  従来使用されている軟質シェルターシステムの短所を克服し、家庭、職場、指令所および災害対策本部の人々すべてに信頼性があり簡単に使用できるいつでも短時間で展開可能な防護措置を講じた軟質シェルター構造を提供する。【解決手段】  ＮＢＣ戦争から防護する軟質シェルターを収納および展開するシステムであって、収納部６と扉部４とを有する２パートキャビネット２と、展開して防護空間を定める折り畳み可能な表皮１２からなる軟質シェルターとを含み、表皮１２は一端が収納部６にまたは間接的に扉部４に取り付けられ、扉部４の開放または移動によって表皮１２は防護空間を形成するように展開する。【選択図】図２
2004270445.tif 000002
【特許請求の範囲】
【請求項１】
ＮＢＣ戦争から防護する軟質シェルターを収納および展開するシステムであって、
収納部と扉部とを含む２パートキャビネットと、
伸張されて防護空間を定める折り畳み可能な表皮でできた軟質シェルターとを含み、
前記表皮は、少なくとも一端が前記収納部または少なくとも間接的に前記扉部に取り付けられており、
前記扉部を開放または移動することで、前記折り曲げ可能な表皮は、前記防護空間を形成するように伸張可能であることを特徴とするシステム。
【請求項２】
前記キャビネットの少なくとも１部分は、少なくとも半剛性材質からなることを特徴とする請求項１に記載のシステム。
【請求項３】
前記表皮は、前記防護空間に入出するための閉塞可能な開口を含むことを特徴とする請求項１に記載のシステム。
【請求項４】
前記扉部は、前記防護空間に入出するための閉塞可能な開口を含むことを特徴とする請求項１に記載のシステム。
【請求項５】
前記収納部は、前記防護空間に入出するための閉塞可能な開口を含むことを特徴とする請求項１に記載のシステム。
【請求項６】
前記扉部は、前記防護空間に入ることを可能にする閉塞可能な開口を備えることを特徴とする請求項１に記載のシステム。
【請求項７】
前記扉部は、前記収納部からの移動を助けるローラまたは車輪を備えることを特徴とする請求項１に記載のシステム。
【請求項８】
前記扉部および前記収納部は、接続要素で連接されていることを特徴とする請求項１に記載のシステム。
【請求項９】
前記扉部および前記収納部は、ヒンジ止めされた折り畳み可能な連接体、マジックハンド、入れ子式伸縮部材および膨らし可能なホースからなる群より選択される伸張可能な接続要素で相互接続されていることを特徴とする請求項１に記載のシステム。
【請求項１０】
少なくとも１つの支持案内腕を含み、該支持案内腕は、一端で前記収納部または前記扉部のいずれかに折り畳み可能にヒンジ止めされ、前記軟質シェルターを伸張する間は案内し、伸張した状態の間は支持することを特徴とする請求項１に記載のシステム。
【請求項１１】
前記扉部は、前記収納部の片側に旋回可能に取り付けられた少なくとも１つの翼状体を含むことを特徴とする請求項１に記載のシステム。
【請求項１２】
２つの支持案内腕が設けられ、該支持案内腕は、前記扉部が展開していない状態の間は前記翼状体の内側に対角線上に取り付けられていることを特徴とする請求項１１に記載のシステム。
【請求項１３】
前記収納部のいずれかの部分に取り付け可能なＮＢＣフィルタおよび送風機ユニットをさらに含むことを特徴とする請求項１に記載のシステム。
【請求項１４】
ＮＢＣ防護システムを収納および直ちに展開する方法であって、
前記システムは、収納部と扉部とを含む２パートキャビネットと、伸張されて防護空間を定める折り畳み可能な表皮からなる軟質シェルターとを含み、
前記表皮を、少なくとも一端で前記収納部または少なくとも間接的に前記扉部に取り付け、
前記扉部を、前記収納部から移動させて、前記防護空間を形成するように前記表皮を展開させることを特徴とする方法。
【請求項１５】
前記扉部は、前記収納部の片側に旋回可能に連接され、前記扉部は、旋回して移動することを特徴とする請求項１４に記載の方法。
【請求項１６】
前記扉部および前記収納部は、ヒンジ止めされた折り畳み可能な連接体、マジックハンド、入れ子式伸縮部材および膨らし可能なホースからなる群より選択される伸張可能な接続要素で相互接続されており、前記扉部の移動は、前記接続要素によって与えられることを特徴とする請求項１４に記載の方法。
【請求項１７】
前記扉部および前記収納部は、ヒンジ止めされた折り畳み可能な連接体、マジックハンド、入れ子式伸縮部材および膨らし可能なホースからなる群より選択される伸張可能な接続要素で相互接続されており、前記扉部の移動は、前記ホースを膨らませることによって自動的に達成されることを特徴とする請求項１４に記載の方法。
【請求項１８】
前記扉部に、移動を助けるローラまたは車輪を取り付けることを特徴とする請求項１４に記載の方法。
【発明の詳細な説明】
【技術分野】
【０００１】
本発明は、ＮＢＣ戦争に対して人間とペットのための毒性のない（ＴＦ）防護空間を提供する防護システムに関する。さらに詳しくは、本発明は、汚染された空気やガス、液体または煙霧質の進入に対して直ちに使用でき、簡単に展開できる防護空間を提供するシステムに関する。
【背景技術】
【０００２】
周知のように、核、化学または生物的（ＮＢＣ）戦闘手段を使用した軍事攻撃およびテロ活動の脅威があると、避難場所への汚染物質の侵入に対する防備の要求が高まる。そのような防備は、建物（「硬質」シェルター）またはテント構造（「軟質」シェルター）の中に位置する退避場所および防護空間を使用して提供される。そのようなシェルターは、防護空間の内部を加圧状態にして清浄なろ過された空気を維持する送風機を含む専用のＮＢＣ空気ろ過システムが装備されている。加圧状態は、シェルターの壁、扉および窓のシールで常に起こる漏れによる空気が防護空間の内部から外部の大気への明確な方向をもって流れることを確実にするために要求される。この方法の使用は、防護空間への汚染された空気の進入がないことを保証する。
【０００３】
標準的な軟質シェルターは、ろ過された清浄な空気で加圧状態を創出する可能性を提供する密閉可能な空間であるので、硬質シェルターが利用できないときの解決策でしかない。軟質シェルターの短所は、共同住宅の室内での軟質シェルター自身のすべての構成要素の準備と組み立てに比較的長時間を要することである。残念ながら、脅威に対して警戒態勢をとるための時間は３分以下でしかない。これは軟質シェルターを設置するには時間が短すぎる。軟質シェルターを日常の生活空間に恒久的に設置しておくことは現実的な解決策ではない。このため、共同住宅内で３分以内に防備を提供し、多くの場所をとらずに美的観点からも許容できるシステムへの要求が存在する。
【発明の開示】
【発明が解決しようとする課題】
【０００４】
したがって、本発明の課題は、従来使用されている軟質シェルターシステムの短所を克服し、家庭、職場、指令所および災害対策本部の人々すべてに信頼性があり簡単に使用できるいつでも短時間で展開可能な防護措置を講じた軟質シェルター構造を提供することである。
【課題を解決するための手段】
【０００５】
本発明によれば、ＮＢＣ戦争から防護する軟質シェルターを収納および展開するシステムを提供し、該システムは、収納部と扉部とを含む２パートキャビネットと、伸張されて防護空間を定める折り畳み可能な表皮でできた軟質シェルターとを含み、前記表皮は、少なくとも一端が前記収納部または少なくとも間接的に前記扉部に取り付けられており、前記扉部を開放または移動することで、前記折り曲げ可能な表皮は、前記防護空間を形成するように伸張可能である。
【０００６】
また、本発明は、ＮＢＣ防護システムを収納および直ちに展開する方法であって、前記システムは、収納部と扉部とを含む２パートキャビネットと、伸張されて防護空間を定める折り畳み可能な表皮からなる軟質シェルターとを含み、前記表皮を、少なくとも一端で前記収納部または少なくとも間接的に前記扉部に取り付け、前記扉部を、前記収納部から移動させて、前記防護空間を形成するように前記表皮を展開させる。
【発明を実施するための最良の形態】
【０００７】
本発明は、いくつかの好ましい実施形態に関連して図面を参照しながら説明され、より完全に理解されるであろう。
【０００８】
詳細な図を具体的に参照して強調しておくが、図示された詳細は、例としておよび本発明の好ましい実施形態の具体的な論考の目的のためにのみ示され、最も有用であり本発明の原則と概念的特徴の説明を容易に理解されると信じるものを提供するために提示されている。この点で、図面とともになされる説明は、多様な形態が実際に実施できることを当業者に明らかにし、本発明の基本的理解に必要である以上に、詳細に本発明の構造的細部を示そうと企図するものではない。
【０００９】
本発明による統合された軟質シェルターを備えるキャビネットは、次のように３つの作用形態を有する。
ａ）収納形態−  すべての要素を有する軟質シェルターが、キャビネットの内部に予め取り付けられており、キャビネットが閉塞し収縮した状態。
ｂ）開閉形態−  入出扉をわずかに開けて空気が軟質シェルターに流れ込みまたは流れ出る状態。
ｃ）防護形態−  軟質シェルターを完全に展開し、入口扉を閉じてＮＢＣ空気ろ過用送風機を起動し、軟質シェルター内部が加圧状態に達した状態。
【００１０】
図１を参照すると、収納形態のキャビネット２が示されている。キャビネット２は、収納本体（収納部）６に固定した前面カバー（扉部）４と軟質シェルター（不図示）に入出するための閉じられたドア８を含む。ドア８は収納本体６および／または図示するように前面カバー４に設けることができる。
【００１１】
図２には半開形態のキャビネット２が示されている。ドア８は開放され、前面カバー４は収納本体６から引き離されている。前面カバー４は、折り畳み可能および／または伸長可能な、例えばキャビネット２およびカバー４の両方の上部に取り付けた接続要素１０によって収納本体６と平行である。接続要素１０は、折り畳み可能な多関節連接体(multi-hinged link)１０’、マジックハンド(lazy tong)１０”、入れ子式伸縮部材（不図示）または同様のものであってよい。これら接続要素１０に、軟質シェルターを構成するガスを通さない表皮１２が吊り紐１４で吊るされ、または、他の方法で取り付けられる。前面カバー４は、軸１８によって同期するローラまたは車輪１６が都合よく装備されている。開閉は、操作上、エアポンプまたは送風機システム（不図示）によって給気または排気されて膨張または収縮させられるホース２０により自動的になされる。ホース２０は、キャビネットの上側およびまたは下側に設置できる。浄化した空気は、収納本体６の後壁の内側に設けたＮＢＣ空気ろ過ユニットによって軟質シェルターに吹き込まれる。ＮＢＣ空気ろ過ユニットは、ホース２４を介してＮＢＣ空気フィルタ２６を通して外部から空気を吸引する送風機２２を含む。同様に、開閉は、上述した形式の相互接続した機械的に伸長可能な要素によって行われる。
【００１２】
軟質シェルターの表皮１２は、管状に構成されている。管の両端は、前面カバー４および収納本体６に空気およびガスに気密な方法で取り付けられている。例えば表皮１２の端を挟み込む溝と舌状物とを有するように構成された要素のような機械的接続要素の間に、一端を収納本体６に、他端を前面カバー４に、表皮１２の全周にわたって押し付けられている。
【００１３】
図３は、軟質シェルターの上面を示し、左側は開いた状態、右側は閉じた状態を示す。伸張状態および収縮状態の両方の接続要素１０の多関節連接体１０’が位置していることが容易に見て取れる。また、伸張状態と収縮状態のホース２０、同様に軟質シェルター表皮１２および展開形態にのみ吊り紐１４も視認することができる。
【００１４】
分かりやすいように、キャビネット２は、６つの剛性壁（前面、天面、底面、棚および側面の壁）を含むが、実際は、キャビネット２は、４つの壁（前面、天面、および２つの側面の壁）のみを含んでもよく、キャビネット２は、部屋の壁の近くに設置され、側面および天面の壁の端部が部屋の壁に接触してもよいことを注記すべきである。キャビネット２の内側に配置された軟質シェルターの表皮１２は、入出のための閉塞可能な開口を含むが、ＴＦ防護空間を形成するためにいかなる方向からも閉じられ、床を含んでいる必要がある。フィルタと送風機を設ける用意もなされなければならない。
【００１５】
図４ａおよび図４ｂには、前面カバー（扉部）４がヒンジ２８によって収納本体６の横の端部に、９０°円滑に旋回するように取り付けられた翼状体である実施形態が示されている。収納本体６の翼状体を保持していない側に、ヒンジ３４，３６で旋回可能に取り付けた表皮支持案内腕３０，３２が設けられている。ヒンジ３４，３６は、表皮１２を広げた状態に案内するため、支持案内腕３０，３２を外側に旋回させることができる。前面カバー４の内側に、軟質シェルターが収納本体６から出るように案内する案内システム４０が設けられている。軟質シェルターへの入口（閉塞可能な開口）３８は、図１のドア８のように剛性はなく、他の軟質シェルターのドアのように柔軟である。
【００１６】
図５ａおよび図５ｂを参照すると、例として中央で前面カバー（扉部）４２が折り畳み可能な翼状体であり、案内部材を含まない実施形態が示されている。軟質シェルター表皮４４の伸張状態への案内は、キャビネット本体６のそれぞれの側部にヒンジ止めした２つの旋回可能な支持案内フレーム４６，４８によってなされる。支持案内フレーム４６，４８のキャビネット本体６への取り付け高さは異なってよく、選択肢としてわずかに傾斜することを推奨する。
【００１７】
図６ａおよび図６ｂは、翼状体である分割カバーパネル（扉部）５０，５２を有するキャビネット本体６を示す。軟質シェルター表皮５８を案内する支持案内腕５４，５６は、カバーパネル５０，５２の内部に対角線上に取り付けられている。支持案内腕５４，５６の長さを伸ばすために、それらは、入れ子式伸縮腕として具体化してもよい。支持案内腕５４，５６は、伸張状態および折り畳み状態で分割カバーパネル５０，５２に設けたフックにより保持または取り付けることができる。
【００１８】
本発明は、前述の図示した実施形態の詳細に限定されることなく、本発明は、その精神または本質的特性から逸脱することなく、他の特定の形態で実施できることは、当業者には明白である。それゆえ、本実施形態はあらゆる点で例であって限定ではないと考えるべきであり、本発明の範囲は、前述の説明ではなくむしろ添付の請求の範囲に示され、請求の範囲の意味および均等な範囲のあらゆる変更は、それゆえその中に包含されると解する。
【図面の簡単な説明】
【００１９】
【図１】ＮＢＣ汚染物質に対する防備を提供する軟質シェルターおよび主要な装置やユニットを収納するキャビネットの斜視図。
【図２】好ましい実施形態の構造的詳細を示す、図１のキャビネットを開いた状態の斜視図。
【図３】図１のキャビネットおよび軟質シェルターの左側は展開形態、右側は閉じた収納形態を示す、上面図。
【図４ａ】さらなる実施形態のキャビネットを閉じた状態を示す斜視図。
【図４ｂ】図４ａのキャビネットを開いた状態を示す斜視図。
【図５ａ】またさらなる実施形態のキャビネットを閉じた状態を示す上面図。
【図５ｂ】図５ａのキャビネットを開いた状態および閉じた状態を示す上面図。
【図６ａ】図５ａを変形したキャビネットの斜視図。
【図６ｂ】図６ａのキャビネットを開いた状態および閉じた状態を示す上面図。
【符号の説明】
【００２０】
２  キャビネット
４  前面カバー（扉部）
６  収納部（収納本体）
８  ドア（開口）
１０  接続要素
１０’  多関節連接体
１０” マジックハンド
１２  表皮
１４  吊り紐
１６  車輪
２０  ホース
２２  送風機
２６  ＮＢＣフィルタ
３０  支持案内腕
３２  支持案内腕
３８  開口
４２  前面カバー（翼状体）
４４  表皮
４６  支持案内フレーム
４８  支持案内フレーム
５０  分割カバーパネル（翼状体）
５２  分割カバーパネル（翼状体）
５４  支持案内腕
５６  支持案内腕
５８  表皮
【図１】
2004270445.tif 000003
【図２】
2004270445.tif 000004
【図３】
2004270445.tif 000005
【図４ａ】
2004270445.tif 000006
【図４ｂ】
2004270445.tif 000007
【図５ａ】
2004270445.tif 000008
【図５ｂ】
2004270445.tif 000009
【図６ａ】
2004270445.tif 000010
【図６ｂ】
2004270445.tif 000011